(57)【要約】【課題】少ない部品点数で、収納部に収納されている遊技媒体の帯電を防止することができるとともに、誤動作を防止することができる遊技媒体の収納装置を提供する。【解決手段】メダル収納部５０は、導電性材料により所定抵抗値を有するように形成されている。メダル収納部５０が設置される位置には検出端子６２ａ、６２ｂが設けられ、メダル収納部５０には検出端子６２ａ、６２ｂが挿通可能な挿通孔５２ａ、５２ｂが設けられている。メダル収納部５０が設置位置に設置されると、メダル収納部５０は導電部材１５を介してフレームグランドに接続される。メダル収納部５０に収納されているメダルの量が所定量に達し、検出端子６２ａと６２ｂ間がメダルによって導通されると、検出回路６１から検出信号が出力される。この時、メダル収納部５０の抵抗値Ｒによって検出端子６２ａと６２ｂ間の回路電位の変化が緩和されるため、ノイズの発生が防止される。【選択図】        図２
2004147824.tif 000002
【特許請求の範囲】
【請求項１】
遊技媒体を収納する収納部と、収納部に離間して設けられた複数の検出部材と、複数の検出部材間が遊技媒体によって電気的に接続されたことを検出する検出装置を備える遊技媒体の収納装置であって、
収納部は、導電性材料により所定抵抗値を有するように形成されているとともに、フレームグランドに接続されている、
遊技媒体の収納装置。
【請求項２】
請求項１に記載の遊技媒体の収納装置であって、収納部は、導電性樹脂により形成されている遊技媒体の収納装置。
【請求項３】
請求項１または２に記載の遊技媒体の収納装置であって、フレームグランドに接続されているとともに、収納部が設置位置に設置された時に収納部と接触可能な導電性部材を備える遊技媒体の収納装置。
【請求項４】
請求項３に記載の遊技媒体の収納装置であって、導電性部材は、収納部を支持する支持部材の支持面に設けられている遊技媒体の収納装置。
【請求項５】
請求項１〜４のいずれかに記載の遊技媒体の収納装置であって、収納部の設置位置の周りの壁部材に導電性部材を備え、収納部と接触可能に設けられている導電性部材は、壁部材の導電性部材を介してフレームグランドに接続されている遊技媒体の収納装置。
【発明の詳細な説明】
【０００１】
【発明の属する技術分野】
本発明は、遊技媒体の収納装置に関する。特に、収納部に収納されている遊技媒体の帯電を防止することができる遊技媒体の収納装置に関する。
【０００２】
【従来の技術】
遊技媒体を使用して遊技を行う遊技機として、例えば、スロットマシンが知られている。スロットマシンの概略構成を図１に示す。図１は、スロットマシン１を正面から見た図である。
スロットマシン１の枠体１０は、図６に示すように、底面部材１１ａ、側面部材１１ｂ及び１１ｃ、上面部材１１ｄ、棚部材１１ｅ、背面部材１１ｆ、蓋部材（図示省略）等を有している。側面部材１１ｂ及び１１ｃ、天井部材１１ｄの前方側には、金具（導電性を有するフレーム）１２ａ、１２ｂ、１２ｃが設けられている。金具１２ａには、フレームグランド線１３が接続されている。
スロットマシン１の枠体１０の上部（棚部材１１ｅの上部）には、図柄表示部（蓋部材に設けられた左図柄表示部、中図柄表示部、右図柄表示部）に表示させる図柄が配列された回転リール（左図柄用回転リール２１、中図柄用回転リール２２、右図柄用回転リール２３）が設けられている。この回転リールを駆動する駆動装置（例えば、電動機）は、主制御装置３０により制御される。主制御装置３０には、電源装置４０から電源が供給されている。
枠体１０の下部（底面部材１１ａの上部）には、遊技媒体であるメダルを貯留するメダル貯留部２４が設けられている。メダル貯留部２４には、蓋部材に設けられたメダル投入口に遊技者が投入したメダルや、係員あるいは自動補給機によって補給されたメダルが貯留される。
また、遊技者がメダルを投入して遊技を行った結果、当たりとなった場合（例えば、左図柄停止ボタン、中図柄停止ボタン、右図柄停止ボタンを操作して左図柄用回転リール２１、中図柄用回転リール２２、右図柄用回転リール２３を停止させた時に左図柄表示部、中図柄表示部、右図柄表示部に停止表示された図柄によって所定の図柄配列が構成された場合）にメダルを払い出すメダル払出装置２５が設けられている。このメダル払出装置２５は、主制御装置３０により制御される。
ここで、払い出されたメダルの数より投入されたメダルの数が多い場合には、メダル貯留部２４に貯留されるメダルの量（数）が増加する。そこで、メダル貯留部２４の上部には、所定量を超えたメダルを排出する排出口２６が設けられている。排出口２６から排出されたメダルは、排出口２６の下方に設けられているメダル収納部５０に収納される。
【０００３】
ところで、このような状態が続くと、メダル収納部５０に収納されているメダルの量（数）が増加し、メダル収納部５０からメダルが溢れる可能性がある。
そこで、メダル収納部５０に収納されているメダルの量が所定量に達したこと（堆積状態）を検出する検出装置（メダル堆積状態検出装置）を設け、検出装置によりメダル収納部５０に収納されているメダルの量が所定量に達したことが検出された場合に報知等を行うようにしている。
メダル収納部５０に収納されているメダルの量が所定量に達したことを検出する検出装置を設けたメダル収納装置は、例えば、特許文献１に記載されている。従来のメダル収納装置の電気回路図を図５に示す。また、メダル収納部５０を枠体１０から取り出した状態を図６に示し、メダル収納部５０を枠体１０に設置した状態を図７に示す。検出装置６０は、メダル（遊技媒体）が導電性を有していることを利用している。
メダル収納部５０は、絶縁材料により、上部が開放された箱形状に形成されている。メダル収納部５０は、図６に示すように、枠体１０の底面部材１１ａ上の、メダル貯留部２４に設けられている排出口２６の下方位置に設置される。
メダル収納部５０の、枠体１０の奥側（背面部材１１ｆ側）に設置される後部材には、底部材から同じ高さの位置に挿通孔５２ａ、５２ｂが設けられている。なお、メダル収納部５０の前面側には、メダル収納部５０を枠体１０に出し入れするために取手が設けられている。
【０００４】
また、枠体１０の背面部材１１ｆには、メダル収納部５０が図７に示す位置に設置された時に、メダル収納部５０に設けられている挿通孔５２ａ、５２ｂと対向する位置に検出端子６２ａ、６２ｂが設けられている。検出端子６２ａ、６２ｂの間隔は、メダル１枚の直径より長く設定されている。検出端子６２ａ、６２ｂは、検出装置６０の検出回路６１に接続されている。検出装置６０の検出回路６１は、検出端子６２ａと６２ｂ間の導通状態あるいは非導通状態を示す検出信号を出力する。
メダル収納部５０を設置する時には、図７に示すように、検出端子６２ａ、６２ｂが、メダル収納部５０に設けられている挿通孔５２ａ、５２ｂに挿通され、メダルが収納される収納空間部内に突出するように、前方から押し込む。
メダル収納部５０が図７に示されているように設置されている状態で、メダル収納部５０に収納されたメダルの量が多くなり、検出端子６２ａと６２ｂ間が２枚以上のメダルによって接続されると、メダルが導電性を有しているため、検出端子６２ａと６２ｂ間が導通する。これにより、検出装置６０は、メダル収納部５０に収納されているメダルの量が所定量に達したことを示す検出信号を出力する。
主制御装置３０は、検出装置６０の検出信号に基づいて、メダル収納部５０内に収納されているメダルの量が所定量に達したことを判別すると、例えば、報知装置を作動させて係員等に報知する。
【０００５】
【特許文献１】
特開２００１−２９９９９４号公報
【０００６】
【発明が解決しようとする課題】
メダル収納部５０に収納されているメダルが帯電されていると、検出端子６２ａと６２ｂ間が複数枚のメダルによって接続された時に、検出端子６２ａと６２ｂを介して検出回路６１に高電圧が加わり、主制御装置３０が誤動作する可能性がある。このため、メダル収納部５０に収納されているメダルの帯電を防止するように構成されている。
例えば、図５〜図７に示すように、メダル収納部５０の、枠体１０の奥側に設置される後部材の下部に挿通孔５２ｃが設けられている。また、枠体１０の背面部材１１ｆには、メダル収納部５０が図７に示す位置に設置された時に、メダル収納部５０に設けられている挿通孔５２ｃと対向する位置にフレームグランド端子６２ｃが設けられている。フレームグランド端子６２ｃは、フレームグランド線１３を介して枠体１０のフレームグランドに接続されている。
この場合、メダル収納部５０を図７に示す位置に設置すると、検出端子６２ａ、６２ｂ、フレームグランド端子６２ｃが、それぞれメダル収納部５０に設けられている挿通孔５２ａ、５２ｂ、５２ｃに挿通され、メダルが収納される収納空間部内に突出する。これにより、メダル収納部５０に収納されているメダルは、直接あるいは他のメダルとグランド端子６２ｃを介してフレームグランドに接続されるため、メダルの帯電が防止される。
【０００７】
ここで、図５に示すように、検出装置６０は、基板に検出回路６１等が配置された検出基板として構成され、検出回路６１は検出基板の回路グランドに接続されている。これに対し、フレームグランド端子６２ｃは、枠体１０のフレームグランドに接続されている。このため、検出装置６０の回路グランドと枠体１０のフレームグランドが同電位でない場合がある。この場合には、メダル収納部５０に収納されているメダルが検出端子６２ａ、６２ｂに接触した時に、検出端子６２ａ、６２ｂの電位が急激に変化し、検出端子６２ａ、６２ｂ間にノイズが発生して誤動作する可能性がある。
検出端子６２ａ、６２ｂの電位が急激に変化するのを防止する方法として、検出端子６２ａ、６２ｂとフレームグランド間にノイズフィルタ７０を設ける方法が考えられる。
しかしながら、この方法は、ノイズフィルタ７０を用いるため、部品点数が増加し、また、ノイズフィルタ７０を接続する作業が必要となる。
そこで、本発明は、少ない部品点数で、収納部に収納されている遊技媒体の帯電を防止することができるとともに、誤動作を防止することができる遊技媒体の収納装置を提供することを目的とする。
【０００８】
【課題を解決するための手段】
前記課題を解決するための本発明の第１発明は、請求項１に記載されたとおりの遊技媒体収納装置である。
請求項１に記載の遊技媒体の収納装置では、収納されている遊技媒体の量が所定量に達したことを検出するための検出端子が設けられている収納部を、導電性材料により所定抵抗値を有するように形成するとともに、フレームグランドに接続している。これにより、例えば、検出端子が遊技媒体及び収納部を介してフレームグランドと接続された時、収納部の抵抗によって検出端子の電位の変化が抑制されるため、検出端子とグランドアース間にノイズフィルタ等の回路部品を設けることなく、検出端子にノイズが発生するのを防止することができる。したがって、少ない部品点数で、収納部に収納されている遊技媒体の帯電を防止することができるとともに、ノイズによる誤動作を防止することができる。
また、本発明の第２発明は、請求項２に記載されたとおりの遊技媒体の収納装置である。
請求項２に記載の遊技媒体の収納装置では、収納部を導電性樹脂により形成している。これにより、種々の形状の収納部を容易に得ることができる。
また、本発明の第３発明は、請求項３に記載されたとおりの遊技媒体の収納装置である。
請求項３に記載の遊技媒体の収納装置では、収納部が設置位置に設置された時に収納部と接触可能であり、フレームグランドと接続されている導電性部材を設けている。これにより、収納部を設置するだけで収納部がフレームグランドに接続されるため、収納部をフレームグランドに接続する操作が容易である。
また、本発明の第４発明は、請求項４に記載されたとおりの遊技媒体収納装置である。
請求項４に記載の遊技媒体の収納装置では、収納部を支持する支持部材の支持面に導電性部材を設けている。これにより、収納部を支持部材の支持面上に載置するだけで収納部がフレームグランドに接続されるため、収納部をフレームグランドに接続する操作が一層容易である。
また、本発明の第５発明は、請求項５に記載されたとおりの遊技媒体の収納装置である。
請求項５に記載の遊技媒体の収納装置では、収納部の設置位置の周りの壁部材に導電性部材を設けているため、枠体の外部からノイズが侵入するのを防止することができ、ノイズによる誤動作を一層防止することができる。さらに、収納部と接触可能に設けられている導電性部材を壁部材の導電性部材を介してフレームグランドに接続しているため、収納部に収納されている遊技媒体の帯電防止と枠体の外部からのノイズの侵入を少ない部品で達成することができる。
【０００９】
【発明の実施の形態】
以下に、本発明の実施の形態を、図面を参照して説明する。
本発明の遊技媒体の収納装置の一実施の形態を図２〜図４に示す。なお、本実施の形態は、本発明をスロットマシンのメダル収納装置に用いたものである。図２は本実施の形態の電気回路図を示し、図３は本実施の形態で用いているメダル収納部を枠体から取り出した状態を示し、図４は本実施の形態の収納部を枠体に設置した状態を示す図である。
【００１０】
本実施の形態のスロットマシンは、図１に示すスロットマシン１と同様の構成である。すなわち、回転リール２１〜２３、メダル貯蔵部２４、メダル払出装置２５、メダル貯蔵装置に設けられた排出口２６、排出口２６の下方に配置されるメダル収納部５０、主制御装置３０、電源装置４０等を備えている。
主制御装置３０は、ＣＰＵ（処理装置）３１や記憶回路（図示省略）等を備えている。主制御装置３０は、基板にＣＰＵ３１等が配置され、主制御基板として構成されている。主制御装置３０では、各回路のグランド端子は主制御基板の回路グランドに接続されている。主制御装置３０は、例えば、前記したように、回転リール２１〜２３を駆動する駆動装置の制御、図柄表示部に停止表示されている図柄に基づいて当たりであるか否かを判定する当たり判定処理、当たりである場合に対応する数のメダルをメダル払出装置２５から払い出す払出処理、検出装置６０から出力される検出信号に基づいてメダル収納部５０に収納されているメダルの量が所定量に達したか否かを判定するメダル量判定処理等を実行する。
電源装置４０は、スイッチング回路（ＳＷ回路）等により構成され、主制御装置３０等に所定電圧の直流電源を供給する。電源装置４０は、基板にスイッチング回路等が配置され、電源基板として構成されている。電源装置４０では、各回路のグランド端子は電源基板の回路グランドに接続されている。
【００１１】
検出装置６０は、検出回路６１、検出端子６２ａ、６２ｂ等により構成され、メダル収納部５０に収納されているメダルの量（数）が所定量に達したか否かを示す検出信号を主制御装置３０（ＣＰＵ３１）に出力する。本実施の形態では、メダル収納部５０に設けられている検出端子６２ａと６２ｂ間の導通状態または非導通状態を示す検出信号を検出回路６１から出力する。
検出装置６０は、基板に検出回路６１等が配置され、検出基板として構成されている。検出装置６０では、検出回路６１等のグランド端子は検出基板の回路グランドに接続されている。
【００１２】
本実施の形態では、枠体１０の底面部材１１ａ上の、メダル貯蔵部２４に設けられている排出口２６の下方位置に設置されるメダル収納部５０は、導電性材料、例えば、良導電体であるカーボンブラックを適度に混入させたポリカーボネート樹脂により、上部が開放された箱形状に形成されている。メダル収納部５０の抵抗値Ｒは、ポリカーボネート樹脂単体で、例えば、表面抵抗が［１×１０１６Ω］であるのに対し、例えば、［１×１０６］Ω〜［１×１０９］Ωに設定される。
メダル収納部５０の、枠体１０の奥側（背面部材１１ｆ側）に設置される後部材には、底部材からほぼ同じ高さの位置に挿通孔５２ａ、５２ｂが設けられている。
【００１３】
枠体１０の背面部材１１ｆには、メダル収納部５０が図４に示す設置位置に設置された時に、メダル収納部５０に設けられている挿通孔５２ａ、５２ｂと対向する位置にほぼ平行に検出端子６２ａ、６２ｂが設けられている。検出端子６２ａ、６２ｂの間隔は、誤検出を防止するために、メダル１枚の直径より長く設定されている。
また、枠体１０の底面部材１１ａのメダル収納部材５０を支持する支持面（図３、図４では上側の面）には、メダル収納部材５０が設置される位置に導電部材（第１の導電部材）１５が設けられている。本実施の形態では、導電部材１５として、所定の幅を有して長手方向に延びる金属プレートが用いられている。そして、導電部材１５は、メダル収納部５０が設置される位置に、枠体１０の前方側から後方側（奥方向）に設置されている。さらに、本実施の形態では、導電部材１５と側面部材１１ｂに設けられている金具（フレーム）１２ａとの接続作業を容易にするため、導電部材１５は、メダル収納部５０が設置される位置の側面部材１１ｂに近接した位置に設置されている。
また、枠体１０の側面部材１１ｂ、背面部材１１ｆ、側面部材１１ｃの内面、棚部材１１ｅの下面には、導電性部材（第２の導電部材）１４ａ、１４ｂ等が設けられている。本実施の形態では、導電性部材１４ａ、１４ｂ等として、アルミ箔が用いられている。導電性部材１４ａ、１４ｂ等は、枠体１０の外部からノイズが侵入するのを防止するように設けられている。
そして、側面部材１１ｂに設けられている金具１２ａは、側面部材１１ｂの内面に設けられている導電性部材１４ａ、背面部材１１ｆの内面に設けられている導電性部材１４ｂを介してグランドフレーム線１３に接続されている。
【００１４】
本実施の形態は以上のように構成されているため、メダル収納部５０を、図３及び図４に示すように、メダル貯留部２４の排出口２６の下方位置で、枠体１０の底面部材１１ａの支持面（上面）上を枠体１０の前方から後方（奥方向）に押し込むと、枠体１０の背面部材１１ｆに設けられている検出端子６２ａ、６２ｂは、メダル収納部５０に設けられている挿通孔５２ａ、５２ｂを挿通し、収納空間部内に突出する。
同時に、メダル収納部１０の底面が、枠体１０の底面部材１１ａの支持面に設けられている導電部材１５に面接触する。ここで、導電部材１５は、枠体１０の側面部材１１ｂに設けられている金具１２ａ、側面部材１１ｂ及び背面部材１１ｆの内面に設けられている導電性部材１４ａ及び１４ｂを介してフレームグランド１３に接続されている。したがって、メダル収納部１０を設置位置に設置すると、メダル収納部５０（底面）は、フレームグランドに自動的に接続される。
これにより、メダル収納部５０に収納されているメダルは、メダル収納部５０の底面、導電部材１５、金具１２ａ、導電性部材１４ａ及び１４ｂ、フレームグランド線１３を介してフレームグランドに接続される。したがって、メダル収納部５０に収納されているメダルの帯電を防止することができる。
【００１５】
この状態で、メダル収納部５０に収納されているメダルの量が多くなり、検出端子６２ａと６２ｂ間が２枚以上のメダルによって接続されると、検出端子６２ａと６２ｂ間が導通する。この時、検出回路６１のグランド端子が回路グランドに接続され、メダル収納部５０がフレームグランドに接続されていることによって、検出端子６２ａ、６２ｂの電位が変化する場合でも、メダル収納部５０の抵抗値によってその変化が緩やかになる。このため、検出端子６２ａ、６２ｂの電位の急激な変化によって検出端子６２ａ、６２ｂ間にノイズが発生するのを防止することができ、ノイズによる誤動作を防止することができる。
本実施の形態では、メダル収納部５０が有する抵抗値を用いて検出端子６２ａ、６２ｂの電位の変化を緩やかにしている。このため、ノイズフィルタ等の電気回路部品を設ける必要がなく、部品点数や作業工程数を軽減することができる。なお、検出端子６２ａと６２ｂ間が導通した時には、前記したように、検出装置６０（検出回路６１）は、メダル収納部５０に収納されているメダルの量が所定量に達したことを示す検出信号を出力する。主制御装置３０は、検出装置６０の検出信号に基づいて、メダル収納部５０に収納されているメダルの量が所定量に達したことを判別すると、例えば、報知装置を作動させて係員等に報知する。また、本実施の形態では、枠体１０の側面部材１１ｂ、１１ｃ、背面部材１２ｆの内面、棚部材１１ｅの下面、すなわち、メダル収納部５０の周りの壁部材に導電性部材が設けられているため、枠体１０の外部からノイズが侵入するのを防止する（外部からのノイズを遮蔽する）ことができる。これにより、ノイズによる誤動作をより防止することができる。
さらに、導電部材１４ａ及び１４ｂを、側面部材１１ｂに設けられている金具１２ａをフレームグランド線１３に接続するための導電部材として用いているため、部品点数を低減することができる。
【００１６】
本発明は、実施の形態で説明した構成に限定されず種々の変更、追加、削除が可能である。
例えば、メダル収納部５０の材料や抵抗値等は、検出端子６２ａ、６２ｂの電位の変化によるノイズの発生等を防止することできれば、適宜変更可能である。
また、メダル収納部５０の形状、設置位置等は種々変更可能である。
また、メダル収納部５０と接続される導電性部材１５の形状、構造、材料、設置位置等は、メダル収納部５０をフレームグランドに接続することができれば種々変更可能である。例えば、導電性樹脂で形成してもよいし、側面部材１１ｂや背面部材１１ｆに設けてもよい。あるいは、メダル収納部５０との接続を、点接触方法を用いて行ってもよいし、接続部材を用いて行ってもよい。
また、導電性部材１５を金具１２ａ、導電性部材１４ａ、１４ｂ等を介してフレームグランド線１３に接続したが、直接フレームグランド線１３に接続してもよい。
また、金属性部材１５（メダル収納部５０が接続される金属製部材）と、金蔵性部材１４ａ、１４ｂ（金属性部材１５をフレームグランド線１３に接続する金属製部材）を別々に設けたが、金属製部材１５と金属製部材１４ａあるいは１４ｂを兼用することもできる。この場合には、メダル収納部５０をフレームグランド線１３に接続する導電性部材とノイズ遮蔽用の金属性部材を１つの金属性部材で構成することができる。
また、メダル収納部５０を排出口２６の下方位置に容易に設置できるようにするために、メダル収納部５０を排出口の下方位置まで案内する案内部材を設けてもよい。さらに、この案内部材を導電性材料で形成し、フレームグランドに接続してもよい。この場合には、導電性部材１５を省略することができる。
また、メダル収納部５０と接続される導電部材１３をフレームグランドに接続する方法は種々変更可能である。
また、側面部材１１ｂ、１１ｃ及び背面部材１１ｆの内面、棚部材１１ｅの下面にノイズ遮蔽用の導電性部材１４ａ、１４ｂ等を設けたが、ノイズ遮蔽用の導電部材を設ける箇所は適宜変更可能である。さらに、ノイズ遮蔽用の導電部材は省略してもよい。
また、検出端子の設置位置や数は種々変更可能である。さらに、メダル収納部５０に収納されているメダルの量が所定量に達したことを検出する方法は、検出端子の設置位置や数等に応じて適宜変更可能である。
また、スロットマシンのメダル貯蔵部２４の排出口から排出されたメダルを収納するメダル収納部に本発明を適用した場合について説明したが、本発明は、これ以外の種々のメダル収納部に適用することができる。例えば、メダル貸機内のメダル収納部に適用することができる。
また、メダルを使用するスロットマシンに適用した場合について説明したが、本発明は、メダル以外の種々の導電性を有する遊技媒体を使用する遊技機に適用することができる。
【００１７】
【発明の効果】
以上説明したように、請求項１〜請求項５に記載の遊技媒体の収納装置を用いれば、少ない部品点数で、収納部に収納されている遊技媒体の帯電を防止することができるとともに、誤動作を防止することができる。
【図面の簡単な説明】
【図１】スロットマシンの概略構成を示す図である。
【図２】本発明の一実施の形態の電気回路図である。
【図３】本発明の一実施の形態で用いているメダル収納部を枠体から取り出した状態を示す図である。
【図４】本発明の一実施の形態で用いているメダル収納部を枠体に設置した状態を示す図である。
【図５】従来例の電気回路図である。
【図６】従来例で用いているメダル収納部を枠体から取り出した状態を示す図である。
【図７】従来例で用いているメダル収納部を枠体に設置した状態を示す図である。
【符号の説明】
１０  枠体
１２ａ、１２ｂ、１２ｃ  金具
１３  フレームグランド線
２４  メダル貯蔵部
２６  排出口
３０  主制御装置
４０  電源装置
５０  メダル収納部
５２ａ、５２ｂ、５２ｃ  挿通孔
６０  検出装置
６２ａ、６２ｂ  検出端子
６２ｃ  フレームグランド端子
７０  ノイズフィルタ
【図１】
2004147824.tif 000003
【図２】
2004147824.tif 000004
【図３】
2004147824.tif 000005
【図４】
2004147824.tif 000006
【図５】
2004147824.tif 000007
【図６】
2004147824.tif 000008
【図７】
2004147824.tif 000009